【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
シートを支持するシート支持手段と、
凹凸が形成された第１面を備えた第１部材と、前記第１面と係合し、凹凸が形成された第２面を備えた第２部材を備え、前記第１部材と前記第２部材とが互いに離れた離間状態から、前記シート支持手段に支持されたシート束を噛みこむように前記第１部材及び第２部材の少なくとも一方をシート束の厚さ方向に移動させてシート束を綴るための凹みをシート束に形成する綴じ処理を実行する綴じ手段と、
前記離間状態において前記第１面及び前記第２面が前記シート支持手段に支持されたシート束の端に対向するように前記綴じ手段とシート束との相対位置関係を設定可能な位置決め手段と、を備え、
前記綴じ処理を実行することによってシート束の端と交差するように前記第１面と前記第２面とがシート束を噛み込む、
ことを特徴とするシート処理装置。
【請求項２】
前記位置決め手段は、前記綴じ処理を行う前の前記綴じ手段とシート束との相対位置を、前記綴じ動作によって前記第１及び第２面が前記シート束の端と交差するようにシート束を噛み込む位置と、前記綴じ動作によって前記第１及び第２面が前記シート束のいずれの端とも交差しない位置とに選択的に設定可能である、
ことを特徴とする請求項１に記載のシート処理装置。
【請求項３】
前記シート支持手段にシートを排出するシート排出手段を有し、
前記位置決め手段は、
前記シート排出手段により前記シート支持手段に排出されるシートのシート排出方向の一端部が当接する当接部と、
シート排出方向と直交する幅方向に移動可能に設けられ、前記当接部と当接したシートを前記幅方向で整合可能な整合手段と、を有し、
前記整合手段によって整合されたシート束を前記綴じ手段が綴る、
ことを特徴とする請求項１または２に記載のシート処理装置。
【請求項４】
綴じ処理されるシート束の枚数が所定枚数以上である、綴じ処理されるシートの平滑度が所定の平滑度以上である、綴じ処理されるシートの水分量が所定の水分量以下である及び綴じ処理されるシートの破断伸び係数が所定の破断伸び係数以下であるという複数の条件のうち、少なくとも１つの条件を満たしている場合に、前記位置決め手段は、前記綴じ処理を行う前の前記綴じ手段とシート束との相対位置を、前記綴じ処理によって前記第１及び第２面が前記シート束の端と交差するように噛み込む位置とする、
ことを特徴とする請求項１乃至３のいずれか１項に記載のシート処理装置。
【請求項５】
前記綴じ手段は、前記シート束の角部を綴じ、
前記第１及び第２面は、前記シート束を噛み込むことで前記シート束の端に対して傾斜した方向に並んだ複数の凹凸をシート束に形成し、
前記第１及び第２面によって形成される前記複数の凹凸の少なくとも一つは、前記シート束の端を含んだ位置に形成される、
ことを特徴とする請求項１乃至４のいずれか１項に記載のシート処理装置。
【請求項６】
前記第１及び第２面は、前記シート束の第１端と、前記第１端と隣り合う第２端とに交差するようにシートを噛み込む、
ことを特徴とする請求項１乃至５のいずれか１項に記載のシート処理装置。
【請求項７】
前記第１及び第２面は、前記シート束の１つの端と交差し、この端と隣り合う隣接端とは交差しないようにシート束を噛み込む、
ことを特徴とする請求項１乃至５のいずれか１項に記載のシート処理装置。
【請求項８】
シートが支持されるシート支持手段と、
第１面を備えた第１部材と、前記第１面と係合する第２面を備えた第２部材とを有し、前記シート支持手段に支持されたシート束を前記第１面と前記第２面によって挟んで加圧することによって変形させて綴じる綴じ手段と、
前記第１部材と前記第２部材とが互いに離れた離間状態において前記第１面及び前記第２面が前記シート支持手段に支持されたシート束の端に対向するように前記綴じ手段とシート束との相対位置関係を設定可能な位置決め手段と、を備え、
前記第１面と前記第２面によってシート束を挟んで加圧することによって前記シート束の端を含んで変形させて前記シート束を綴じるように、前記離間状態から前記第１部材及び第２部材の少なくとも一方をシート束の厚さ方向に移動する、
ことを特徴とするシート処理装置。
【請求項９】
前記綴じ手段は、前記シート束の角部を綴じ、
前記第１及び第２面は、前記シート束を噛み込むことによって前記シート束に、前記シート束の端に対して傾斜した方向に並んだ複数の凹形状を形成し、
前記第１及び第２面によって形成される前記複数の凹形状の少なくとも一つは、前記シート束の端を含んだ位置に形成される、
ことを特徴とする請求項１乃至８のいずれか１項に記載のシート処理装置。
【請求項１０】
前記第１及び第２面は、前記シート束の端と、この端と隣り合う隣接端とを含んで前記シート束を前記厚さ方向に変形させる、
ことを特徴とする請求項１乃至９のいずれか１項に記載のシート処理装置。
【請求項１１】
前記第１及び第２面は、前記シート束の１つの端を前記厚さ方向に変形させ、この端と隣り合う隣接端は厚さ方向に変形させない、
ことを特徴とする請求項１乃至９のいずれか１項に記載のシート処理装置。
【請求項１２】
前記第１及び第２部材の少なくとも一方の部材を他方の部材に対してシートの厚さ方向に移動させる綴じ移動手段を有する、
ことを特徴とする請求項１乃至１１のいずれか１項に記載のシート処理装置。
【請求項１３】
画像形成部と、
前記画像形成部により画像が形成されたシートを綴じ処理する請求項１乃至１２のいずれか１項に記載のシート処理装置と、を備えたことを特徴とする画像形成装置。
【請求項１４】
前記シート処理装置は、前記綴じ手段により、シートに画像が形成されている領域外に綴じ処理を施す、
ことを特徴とする請求項１３に記載の画像形成装置。
【手続補正２】
【補正対象書類名】明細書
【補正対象項目名】０００７
【補正方法】変更
【補正の内容】
【０００７】
本発明は、シート処理装置において、シートを支持するシート支持手段と、凹凸が形成された第１面を備えた第１部材と、前記第１面と係合し、凹凸が形成された第２面を備えた第２部材を備え、前記第１部材と前記第２部材とが互いに離れた離間状態から、前記シート支持手段に支持されたシート束を噛みこむように前記第１部材及び第２部材の少なくとも一方をシート束の厚さ方向に移動させてシート束を綴るための凹みをシート束に形成する綴じ処理を実行する綴じ手段と、前記離間状態において前記第１面及び前記第２面が前記シート支持手段に支持されたシート束の端に対向するように前記綴じ手段とシート束との相対位置関係を設定可能な位置決め手段と、を備え、前記綴じ処理を実行することによってシート束の端と交差するように前記第１面と前記第２面とがシート束を噛み込む、ことを特徴とする。
【手続補正３】
【補正対象書類名】明細書
【補正対象項目名】０００８
【補正方法】変更
【補正の内容】
【０００８】
また、本発明は、シート処理装置において、シートが支持されるシート支持手段と、第１面を備えた第１部材と、前記第１面と係合する第２面を備えた第２部材とを有し、前記シート支持手段に支持されたシート束を前記第１面と前記第２面によって挟んで加圧することによって変形させて綴じる綴じ手段と、前記第１部材と前記第２部材とが互いに離れた離間状態において前記第１面及び前記第２面が前記シート支持手段に支持されたシート束の端に対向するように前記綴じ手段とシート束との相対位置関係を設定可能な位置決め手段と、を備え、前記第１面と前記第２面によってシート束を挟んで加圧することによって前記シート束の端を含んで変形させて前記シート束を綴じるように、前記離間状態から前記第１部材及び第２部材の少なくとも一方をシート束の厚さ方向に移動する、ことを特徴とする。